(57)【要約】【課題】  サーバーを含むネットワークシステムに接続されている情報通信システムにおいて、ネットワーク上に通信障害が発生した場合であっても継続運用可能な情報通信システムを提供する。【解決手段】  ネットワーク通信処理回路１０２のネットワーク１０７への通信状態を監視し、ネットワークの通信状態が正常であるときは、装置制御回路１０１は、サーバー１０６のデータを使用して情報通信システム１００を制御するとともにネットワークデータ記憶回路１０５にサーバー１０６のデータを記録し、ネットワーク１０７の通信状態が異常であるときは、ネットワークデータ記憶回路１０５に記録したサーバー１０６のデータを使用して情報通信システム１００を制御することとし、上述した装置制御回路１０１の動作を、ネットワーク１０７の通信状態の監視結果に基づき自動的に切り替えることとした。【選択図】  図１
2005202616.tif 000002
【特許請求の範囲】
【請求項１】
サーバーを含むネットワークに接続されている情報通信システムにおいて、
前記サーバーのデータを記憶するネットワークデータ記憶回路と、
前記サーバーにアクセスし、前記サーバーのデータを使用して前記情報通信システムを制御するとともに該データを前記ネットワークデータ記憶回路に記録するオンライン動作か、あるいは前記オンライン動作中に前記ネットワークデータ記憶回路に記録したサーバーのデータを使用して前記情報システムを制御するオフライン動作のいずれかの動作により、前記情報システムの制御を行なう装置制御回路と、
前記ネットワークの通信状態を監視するネットワーク監視回路と、
前記ネットワーク監視回路から出力される通信状態の監視結果に基づき、前記装置制御回路に対して、前記オンライン動作と前記オフライン動作の切替指示を行う動作モード切替指示回路と、を備える、
ことを特徴とする情報通信システム。
【発明の詳細な説明】
【技術分野】
【０００１】
本発明は、ＬＡＮやインターネット等のネットワークシステムに接続されている情報通信システムに係り、特にネットワークの通信状態に応じて前記情報通信システムの制御動作の切替が可能な情報通信システムに関する。
【背景技術】
【０００２】
従来、ＬＡＮやインターネット等のネットワークシステムに接続されている情報通信システムにおいて、通信プロトコルを実行する通信処理回路に障害が発生した場合、前記情報通信システムの継続的な運用を確保するために、通常時に使用される正常系ＬＡＮ通信処理回路に加えて予備として使用する予備系ＬＡＮ通信処理回路を備えるものがある（例えば、特許文献１参照）。図４は、前記特許文献１に記載されている情報通信システムを表すブロック図である。図４における通信システム４００は、正常系ＬＡＮ通信処理回路４０５と、予備系ＬＡＮ通信処理回路４０６とを備えており、それぞれの通信処理回路がネットワークとしてのＬＡＮ４０８に接続されている。
【０００３】
ここで、正常系ＬＡＮ通信処理回路４０５に障害が発生した場合には、正常系ＬＡＮ通信処理部４０５を通信システム４００から切り離し、自動的に予備系ＬＡＮ通信処理回路４０６に切り替えを行うことによって、情報通信システムの継続的な運用を確保していた。
【特許文献１】特開２００１−３３９４０７号公報
【発明の開示】
【発明が解決しようとする課題】
【０００４】
しかしながら、前記従来の構成では、ネットワークに通信上の障害が発生している場合には、例え予備系ＬＡＮ通信処理回路４０６へ切り替えたとしても、ネットワーク自体の障害のために通信システム４００の継続的な運用ができないという課題を有していた。
【０００５】
本発明は、上記課題を解決するためになされたものであり、ネットワーク上に障害が発生した場合であっても、継続的な運用が可能な情報通信システムを提供することを目的とする。
【課題を解決するための手段】
【０００６】
上記課題を解決するために、本発明の情報通信システムは、サーバーを含むネットワークに接続されている情報通信システムにおいて、前記サーバーのデータを記憶するネットワークデータ記憶回路と、前記サーバーにアクセスし、前記サーバーのデータを使用して前記情報通信システムを制御するとともに該データを前記ネットワークデータ記憶回路に記録するオンライン動作か、あるいは前記オンライン動作中に前記ネットワークデータ記憶回路に記録したサーバーのデータを使用して前記情報システムを制御するオフライン動作のいずれかの動作により、前記情報システムの制御を行なう装置制御回路と、前記ネットワークの通信状態を監視するネットワーク監視回路と、前記ネットワーク監視回路から出力される通信状態の監視結果に基づき、前記装置制御回路に対して、前記オンライン動作と前記オフライン動作の切替指示を行う動作モード切替指示回路とを備えることを特徴とする。
【発明の効果】
【０００７】
本発明の情報通信システムによれば、ネットワークの通信状態を監視し、ネットワークの接続状態が正常である場合は、装置制御回路は、サーバーのデータを使用して情報通信システムを制御するとともに、ネットワークデータ記憶回路にサーバーのデータを記録し、ネットワークの接続状態が異常である場合は、ネットワークデータ記憶回路に記録したサーバーのデータを使用して情報通信システムを制御することとし、上述した装置制御回路の動作モードの切替を、ネットワークの通信状態の監視結果に基づき自動的に行なうこととしたので、ネットワーク上に障害が発生した場合であっても、通信情報システムの継続的な運用が可能となる。また、ネットワーク上の障害が復旧した場合も、自動的にオフライン動作からオンライン動作に切り替わるので、情報通信システムの継続的な運用が可能となる。
【発明を実施するための最良の形態】
【０００８】
（実施の形態１）
図１は、本発明の実施の形態１における情報通信システム１００を表すブロック図である。図１において、１０１は、情報通信システム１００の動作制御をオンライン動作かあるいはオフライン動作のいずれかの動作により行なう装置制御回路である。ここでオンライン動作とは、サーバー１０６にアクセスし、サーバー１０６のデータを使用して情報通信システム１００を制御するとともに、サーバー１０６から取り込んだデータをネットワークデータ記憶回路１０５に記録する動作のことを意味し、オフライン動作とは、前記オンライン動作中にネットワークデータ記憶回路１０５に記録したサーバーのデータを使用して前記情報通信システムを制御する動作のことを意味する。１０２は、通信プロトコルを実行するネットワーク通信処理回路である。１０３は、ネットワーク通信処理回路１０２と装置制御回路１０１との間、及びネットワーク通信処理回路１０２とネットワーク１０７との間の通信状態を監視するネットワーク監視回路である。１０４は、ネットワーク監視回路１０３から出力されるネットワークの通信状態の監視結果を受けて、装置制御回路１０１に対して上述したオンライン動作とオフライン動作の切り替えを指示する動作モード切替指示回路である。１０５は、サーバーのデータを記憶するネットワークデータ記憶回路である。１０７は、ＬＡＮやインターネット等のネットワークであり、該ネットワーク上にサーバー１０６が設けられている。
【０００９】
次に、以上のように構成された情報通信システム１００の動作について説明する。
まず、ネットワーク監視回路１０３はネットワーク通信処理回路１０２とネットワーク１０７との間、およびネットワーク通信処理回路１０２と装置制御回路１０１との間の通信状態を監視し、通信状態を示す信号を動作モード切替指示回路１０４に対して出力する。動作モード切替指示回路１０４は、ネットワーク監視回路１０３から出力される信号が正常な通信状態を表すものであれば、装置制御回路１０１に対してオンライン動作を行なうように指示を行なう。装置制御回路１０１は、オンライン動作の指示を受けて、ネットワーク通信処理回路１０２を経由してネットワーク１０７上のサーバー１０６にアクセスし、サーバー１０６のデータを使用すると共に、ネットワークデータ記憶回路１０５にサーバー１０６のデータを記録していく。なお、ネットワークデータ記憶回路１０５に記録するデータは未使用のデータを含んでいても良い。
【００１０】
ここで、ネットワーク通信処理回路１０２とネットワーク１０７のいずれか、あるいは双方に障害が発生した場合、ネットワーク監視回路１０３は、通信状態が異常であることを検知し、動作モード切替指示回路１０４に対して該通信状態を出力する。動作モード切替指示回路１０４は、ネットワーク監視回路１０３からの出力を受けて、装置制御回路１０１に対してオフライン動作を行なうよう指示を行なう。装置制御回路１０１は、オフライン動作の指示を受けると、ネットワークデータ記憶回路１０５にアクセスし、ネットワークデータ記憶回路１０５に記録されているサーバー１０６のデータを使用する。
【００１１】
ネットワーク通信処理回路１０２、あるいはネットワーク１０７に発生した障害が除去されれば、ネットワーク監視回路１０３は、通信状態が正常である旨の信号を動作モード切替指示回路１０４に対して出力し、動作モード切替指示回路１０４は装置制御回路１０１に対してオンライン動作の指示を行ない、装置制御回路１０１は情報通信システムの動作を上述したオンライン動作に切り替える。
【００１２】
以上のように、本実施の形態１の情報通信システムによれば、ネットワーク通信処理回路のネットワークへの通信状態を監視し、ネットワークの通信状態が正常である場合は、装置制御回路は、サーバーのデータを使用して情報通信システムを制御するとともに、ネットワークデータ記憶回路にサーバーのデータを記録し、ネットワークの通信状態が異常である場合は、ネットワークデータ記憶回路に記録したサーバーのデータを使用して情報通信システムを制御することとし、上述した装置制御回路の動作モードの切替を、ネットワークの通信状況の監視結果に基づき自動的に行なうこととしたので、ネットワーク上に障害が発生した場合であっても、通信情報システムの継続的な運用が可能となる。また、ネットワーク上の障害が復旧した場合も、自動的にオフライン動作からオンライン動作に切り替わるので、情報通信システムの継続的な運用が可能となる。
【００１３】
なお、本実施の形態において、ネットワーク１０７は無線方式であっても良く、ネットワーク１０７やネットワーク通信処理部１０２は複数であっても良い。また、本実施の形態１においては、ネットワーク監視回路１０３がネットワーク通信処理回路１０２のネットワーク１０７側および装置制御回路１０１側の両方を監視する構成としたが、どちらか一方の監視としてもよく、ネットワーク１０７を直接監視してもよい。また、サーバー１０６は単一のサーバーでも複数のサーバーであっても良い。
【００１４】
（実施の形態２）
図２は、本発明の実施の形態２における情報通信システム２００を表すブロック図である。図２において、２０２は、正常系ネットワーク通信処理回路２０３と予備系ネットワーク通信処理回路２０４の切替を行なう装置接続回路である。２０３は、通常の通信時に通信プロセスを実行する正常系ネットワーク通信処理回路である。２０４は、正常系ネットワーク通信処理回路２０３に障害が発生したときに使用される予備系ネットワーク通信処理回路である。２０５は、正常系ネットワーク通信処理回路２０３、及び予備系ネットワーク通信処理回路２０４のネットワーク２０９側の信号の通信状態を監視するネットワーク監視回路である。なお、装置制御回路２０１、動作モード切替指示回路２０６、ネットワークデータ記憶回路２０７、サーバー２０８、及びネットワーク２０９については実施の形態１において説明したものと同様であるためその説明を省略する。
【００１５】
次に、以上のように構成された情報通信システム２００の動作について説明する。
まず、ネットワーク監視回路２０５は正常系ネットワーク通信処理回路２０３、および予備系ネットワーク通信処理回路２０４のネットワーク２０９側の通信状態を監視し、通信状態を動作モード切替指示回路２０６に対して出力する。動作モード切替指示回路２０６は、ネットワーク監視回路２０５から出力される信号が正常を示すものである場合は、装置制御回路２０１に対してオンライン動作を行なうよう指示を行なう。装置制御回路２０１は、オンライン動作の指示を受けると、正常系ネットワーク通信処理回路２０３を経由してネットワーク２０９上のサーバー２０８にアクセスし、サーバー２０８のデータを使用すると共に、ネットワークデータ記憶回路２０７にサーバー２０８のデータを記録する。
【００１６】
ここで、正常系ネットワーク通信処理回路２０３に障害が発生すると、装置接続回路２０２は、情報通信システム２００が使用するネットワーク通信処理回路を予備系ネットワーク通信処理回路２０４に切り替え、予備系ネットワーク通信処理回路２０４を用いて上述したオンライン動作を行なう。
【００１７】
さらに、予備系ネットワーク通信処理回路２０４使用中に、ネットワーク２０９と予備系ネットワーク通信処理回路２０４のいずれか、あるいは双方に障害が発生した場合、ネットワーク監視回路２０５は、ネットワーク２０９の通信状態が異常であることを検知し、動作モード切替指示回路２０６に対して該通信状態を表す信号を出力する。動作モード切替指示回路２０６は、ネットワーク監視回路２０５からの出力を受けて、装置制御回路２０１に対してオフライン動作を行なうよう指示を行なう。装置制御回路２０１は、オフライン動作の指示を受けると、ネットワークデータ記憶回路２０７にアクセスし、ネットワークデータ記憶回路２０７に記録されているサーバー２０８のデータを使用する。
【００１８】
予備系ネットワーク通信処理回路２０４、あるいはネットワーク２０９に発生した障害が除去されれば、ネットワーク監視回路２０５は、通信状態が正常である旨の信号を動作モード切替指示回路２０６に対して出力し、動作モード切替指示回路２０６は装置制御回路２０１に対してオンライン動作の指示を行ない、装置制御回路２０１は上述したオンライン動作を行なう。
【００１９】
以上のように、本実施の形態２の情報通信システムによれば、予備系ネットワーク通信処理回路を備えた情報通信システムにおいて、予備系ネットワーク通信処理回路のネットワークへの通信状態を監視し、ネットワークの通信状態が正常である場合は、装置制御回路は、サーバーのデータを使用して情報通信システムを制御するとともに、ネットワークデータ記憶回路にサーバーのデータを記録し、ネットワークの通信状態が異常である場合は、ネットワークデータ記憶回路に記録したサーバーのデータを使用して情報通信システムを制御することとし、上述した装置制御回路の動作モードの切替を、ネットワークの通信状態の監視結果に基づき自動的に行なうこととしたので、ネットワーク上に障害が発生した場合であっても、通信情報システムの継続的な運用が可能となる。また、ネットワーク上の障害が復旧した場合も、自動的にオフライン動作からオンライン動作に切り替わるので、情報通信システムの継続的な運用が可能となる。
【００２０】
なお、本実施の形態２において、ネットワーク２０９は有線、無線等の方式は問わない。また、ネットワークデータ記憶回路２０７に記録するデータは未使用のデータを含んでいても良く、ネットワーク２０９やネットワーク通信処理回路２０３は複数系統あってもよい。また、本実施の形態２において、ネットワーク監視回路２０５が正常系ネットワーク通信処理回路２０３および予備系ネットワーク通信処理回路２０４のネットワーク２０９側の通信状態を監視する構成としたが、各ネットワーク通信処理回路の装置接続回路２０２側の通信状態や装置接続回路２０２と装置制御回路２０１との間の通信状態を監視しても良く、ネットワーク２０９を直接監視してもよい。また、サーバー２０８は単一のサーバーでも複数のサーバーでもよい。
【００２１】
（実施の形態３）
図３は、本発明の実施の形態３における情報通信システム３００を表すブロック図である。本実施の形態３においては、情報通信システム３００は第１ネットワーク３１０と第２ネットワーク３１１の２系統のネットワークに接続されており、各ネットワーク上にそれぞれ第１サーバー３０８と第２サーバー３０９が設けられている。また、第１ネットワーク３１０と第２ネットワーク３１１における通信プロトコルを実行するために、第１ネットワーク通信処理回路３０３と第２ネットワーク通信処理回路３０４が装置接続回路３０２を介して装置制御回路３０１に接続されている。なお、装置接続回路３０２、ネットワーク監視回路３０５、動作モード切替指示回路３０６、及びネットワークデータ記憶回路３０７については、実施の形態１、及び実施の形態２において説明したものと同様であるため、その説明を省略する。
【００２２】
次に、以上のように構成された情報通信システム３００の動作について説明する。
ネットワーク監視回路３０５は、第１ネットワーク通信処理回路３０３の第１ネットワーク３１０側、あるいは第２ネットワーク通信処理回路３０４の第２ネットワーク３１１側の通信状態を監視する。通常の動作時は、ネットワーク監視回路３０５は、動作モード切替指示回路３０６に対して通信状態が正常である旨を表す信号を出力する。動作モード切替指示回路３０６は、ネットワーク監視回路３０５から出力される信号が正常を表すものである場合は、装置制御回路３０１に対してオンライン動作を行なうよう指示を行なう。
【００２３】
装置制御回路３０１は、オンライン動作の指示を受けて、第１ネットワーク通信処理回路３０３の使用時には、第１ネットワーク通信処理回路３０３を経由して第１ネットワーク３１０上のサーバー３０８にアクセスし、サーバー３０８のデータを使用すると共に、ネットワークデータ記憶回路３０７に第１サーバー３０８のデータを記録する。第２ネットワーク通信処理回路３０４の使用時には、第２ネットワーク通信処理回路３０４を経由して第２ネットワーク３１１上の第２サーバー３０９にアクセスし、第２サーバー３０９のデータを使用すると共に、ネットワークデータ記憶回路３０７に第２サーバー３０９のデータを記録する。
【００２４】
ここで、第１ネットワーク通信処理回路３０３、第２ネットワーク通信処理回路３０４、第１ネットワーク３１０、あるいは第２ネットワーク３１１のいずれかに障害が発生すると、ネットワーク監視回路３０５から、動作モード切替指示回路３０６に対して通信状態が異常である旨を表す信号が出力される。動作モード切替指示回路３０６は、ネットワーク監視回路３０５からの出力を受けて、装置制御回路３０１に対してオフライン動作に切り替えるよう指示を与える。装置制御回路３０１はオフライン動作への切り替え指示を受けると、ネットワークデータ記憶回路３０７にアクセスし、ネットワークデータ記憶回路３０７に記録されているサーバー３０８、あるいはサーバー３０９のデータを使用する。
【００２５】
以上のように、本実施の形態３の情報通信システムによれば、複数系統のネットワークに接続されている情報通信システムにおいて、それぞれのネットワークに対応する通信処理回路のネットワークへの通信状態を監視し、ネットワークの通信状態が正常である場合は、装置制御回路は、サーバーのデータを使用して情報通信システムを制御するとともに、ネットワークデータ記憶回路にサーバーのデータを記録し、ネットワークの通信状態が異常である場合は、ネットワークデータ記憶回路に記録したサーバーのデータを使用して情報通信システムを制御することとし、上述した装置制御回路の動作モードの切替を、ネットワークの通信状態の監視結果に基づき自動的に行なうこととしたので、ネットワーク上に障害が発生した場合であっても、通信情報システムの継続的な運用が可能となる。また、ネットワーク上の障害が復旧した場合も、自動的にオフライン動作からオンライン動作に切り替わるので、情報通信システムの継続的な運用が可能となる。
【００２６】
なお、本実施の形態３において、第１ネットワーク３１０、及び第２ネットワーク３１１は有線、無線等の方式は問わない。また、ネットワークやネットワーク通信処理部は３系統以上であってもよい。また、オフライン動作モードへの移行は、個々のネットワークごとに行ってもよいし、全ネットワーク一括で行ってもよい。また、本実施の形態において、ネットワーク監視回路３０５が第１ネットワーク通信処理回路３０３の第１ネットワーク３１０側、並びに第２ネットワーク通信処理回路３０４の第２ネットワーク３１１側を監視する構成としたが、各ネットワーク通信処理部の装置接続回路３０２側、装置接続回路３０２と装置制御回路３０１との間を監視してもよく、第１ネットワーク３１０や第２ネットワーク３１１を直接監視してもよい。また、第１サーバー３０８、及び第２サーバー３０９は、単一のサーバーでも複数のサーバーでもよい。
【産業上の利用可能性】
【００２７】
本発明の通信情報システムによれば、ネットワーク上に通信障害が生じた場合であっても、継続運用可能な通信情報システムを提供することが可能となる点において有用である。
【図面の簡単な説明】
【００２８】
【図１】本発明の実施の形態１における情報通信システムを表すブロック図である。
【図２】本発明の実施の形態２における情報通信システムを表すブロック図である。
【図３】本発明の実施の形態３における情報通信システムを表すブロック図である。
【図４】従来のＬＡＮ通信システムを表すブロック図である。
【符号の説明】
【００２９】
１００，２００，３００  情報通信システム
１０１，２０１，３０１  装置制御回路
１０２  ネットワーク通信処理回路
１０３，２０５，３０５  ネットワーク監視回路
１０４，２０６，３０６  動作モード切替指示回路
１０５，２０７，３０７  ネットワークデータ記憶回路
１０６，２０８  サーバー
１０７，２０９  ネットワーク
２０２，３０２  装置接続回路
２０３  正常系ネットワーク通信処理回路
２０４  予備系ネットワーク通信処理回路
３０３  第１ネットワーク通信処理回路
３０４  第２ネットワーク通信処理回路
３０８  第１サーバー
３０９  第２サーバー
３１０  第１ネットワーク
３１１  第２ネットワーク
４００  従来のＬＡＮ通信システム
４０１  予備系ＬＡＮ通信処理回路への切り替え用の定義ファイル
４０２  装置制御回路
４０３  装置接続回路
４０４  電源制御回路
４０５  正常系ＬＡＮ通信処理回路
４０６  予備系ＬＡＮ通信処理回路
４０７  サーバー
４０８  ＬＡＮ
【図１】
2005202616.tif 000003
【図２】
2005202616.tif 000004
【図３】
2005202616.tif 000005
【図４】
2005202616.tif 000006